(57)【特許請求の範囲】
【請求項１】
ランダムアクセス可能な記録媒体と、
前記記録媒体上に収録された複数の動画像について、これら動画像各々に対応するサムネイルを画面上に一覧表示する一覧表示手段と、
外部からの選択操作に応じて、前記一覧表示手段によって表示されるサムネイルを複数選択する選択手段と、
前記選択手段によって選択される複数のサムネイルについて、これら各サムネイルに対応する複数の動画像を、外部からの再生操作に応じて前記記録媒体に対し時分割読み出しを行うことにより並行再生する再生手段と、
前記再生手段によって並行再生される複数の動画像を、入れ子状に重ねて前記画面上に合成表示する合成表示手段と、
前記再生手段によって並行再生される複数の動画像について、これら動画像を識別するための識別情報、および、前記動画像各々が前回どのように再生されたかを示す再生状態を記憶する再生情報記憶手段を備え、
前記再生手段は、
前記再生情報記憶手段に記憶された識別情報の呼び出し操作に応じて、前記識別情報に対応する複数の動画像各々について、その再生状態を再現するように並行再生する
ことを特徴とする画像再生装置。
【請求項２】
請求項１に記載の画像再生装置において、
前記再生手段は、
前記複数の動画像の並行再生を同タイミングで開始する
ことを特徴とする画像再生装置。
【請求項３】
請求項１または請求項２に記載の画像再生装置において、
前記合成表示手段は、
前記再生手段によって並行再生される複数の動画像の中の、少なくとも１つの動画像について、動画像から静止画像を抽出し、抽出した静止画像を該動画像の代わりに繰り返し表示することを特徴とする画像再生装置。
【請求項４】
請求項１ないし請求項３のいずれか１項に記載の画像再生装置において、
前記合成表示手段は、
前記画面上に合成表示される２つの動画像の境界を、四角形以外の予め定められた形状で表示する
ことを特徴とする画像再生装置。
【請求項５】
請求項１に記載の画像再生装置において、
前記再生情報記憶手段は、
前記識別情報および前記再生状態を前記記録媒体に記憶する
ことを特徴とする画像再生装置。
【請求項６】
ランダムアクセス可能な記録媒体と、
前記記録媒体上に収録された複数の動画像について、これら動画像各々に対応するサムネイルを画面上に一覧表示する一覧表示手段と、
外部からの選択操作に応じて、前記一覧表示手段によって表示されるサムネイルを複数選択する選択手段と、
前記選択手段によって選択される複数のサムネイルについて、これら各サムネイルに対応する複数の動画像を、外部からの再生操作に応じて前記記録媒体に対し時分割読み出しを行うことにより並行再生する再生手段と、
前記再生手段によって並行再生される複数の動画像を、入れ子状に重ねて前記画面上に合成表示する合成表示手段と、
前記再生手段によって並行再生される複数の動画像について、これら動画像を識別するための識別情報、および、前記動画像各々が前回どのように表示されたかを示す表示状態を記憶する再生情報記憶手段を備え、
前記合成表示手段は、
前記再生情報記憶手段に記憶された識別情報の呼び出し操作に応じて、前記識別情報に対応する複数の動画像各々について、その表示状態を再現するように合成表示する
ことを特徴とする画像再生装置。
【請求項７】
請求項６に記載の画像再生装置において、
前記再生手段は、
前記複数の動画像の並行再生を同タイミングで開始する
ことを特徴とする画像再生装置。
【請求項８】
請求項６または請求項７に記載の画像再生装置において、
前記合成表示手段は、
前記再生手段によって並行再生される複数の動画像の中の、少なくとも１つの動画像について、動画像から静止画像を抽出し、抽出した静止画像を該動画像の代わりに繰り返し表示することを特徴とする画像再生装置。
【請求項９】
請求項６ないし請求項８のいずれか１項に記載の画像再生装置において、
前記合成表示手段は、
前記画面上に合成表示される２つの動画像の境界を、四角形以外の予め決められた形状で表示する
ことを特徴とする画像再生装置。
【請求項１０】
請求項６に記載の画像再生装置において、
前記再生情報記憶手段は、
前記識別情報および前記表示状態を前記記録媒体に記憶する
ことを特徴とする画像再生装置。
【発明の詳細な説明】
【０００１】
【発明の属する技術分野】
本発明は、同時再生を行う画像再生装置に関し、特に、複数の動画像を入れ子状に重ねて表示する画像再生装置に関する。
【０００２】
【従来の技術】
一般に、２つのテープ媒体を一緒に再生できる画像再生装置が知られている。この種の画像再生装置では、２つのテープ媒体毎に、ロータリヘッドが備えられているので、一方のロータリヘッドで記録または再生を行いながら、他方のロータリヘッドでも記録または再生を行うことができる。
【０００３】
また、複数の動画像を再生する装置としては、現在のパーソナルコンピュータも該当する。パーソナルコンピュータは、ハードディスク等に記録される動画像ファイルに対して時分割にアクセスし、複数の動画像について一緒に再生を行う。
【０００４】
【発明が解決しようとする課題】
しかしながら、従来の画像再生装置では、複数の動画像を互いに独立したタイミングで再生し、画面上に表示するだけというものだった。すなわち、再生時または表示時において、複数の動画像同士に関連性（例えば、動画像の表示される位置や同時再生のタイミング等）がないため、複数の動画像同士の関係が明確にならなかった。
【０００５】
請求項１〜４に記載の発明は、上述の問題点を解決するために、複数の動画像に対して、これら動画像同士に関連を持たせて表示することができる画像再生装置を提供することを目的とする。
請求項５〜７に記載の発明は、請求項１〜４の目的と併せて、並行再生の操作を再度繰り返すことを省く画像再生装置を提供することを目的とする。
【０００６】
【課題を解決するための手段】
図１は、本発明に記載の発明の原理ブロック図である。
請求項１に記載の発明は、ランダムアクセス可能な記録媒体２２と、記録媒体２２上に収録された複数の動画像について、これら動画像各々に対応するサムネイルを画面上に一覧表示する一覧表示手段１と、外部からの選択操作に応じて、一覧表示手段１によって表示されるサムネイルを複数選択する選択手段２と、選択手段２によって選択される複数のサムネイルについて、これら各サムネイルに対応する複数の動画像を、外部からの再生操作に応じて記録媒体２２に対し時分割読み出しを行うことにより並行再生する再生手段３と、再生手段３によって並行再生される複数の動画像を、入れ子状に重ねて画面上に合成表示する合成表示手段４と、再生手段３によって並行再生される複数の動画像について、これら動画像を識別するための識別情報、および、前記動画像各々が前回どのように再生されたかを示す再生状態を記憶する再生情報記憶手段５を備え、再生手段３は、再生情報記憶手段５に記憶された識別情報の呼び出し操作に応じて、識別情報に対応する複数の動画像各々について、その再生状態を再現するように並行再生することを特徴とする。
【０００７】
請求項２に記載の発明は、請求項１に記載の画像再生装置において、再生手段３は、複数の動画像の並行再生を同タイミングで開始することを特徴とする。
請求項３に記載の発明は、請求項１または請求項２に記載の画像再生装置において、合成表示手段４は、再生手段３によって並行再生される複数の動画像の中の、少なくとも１つの動画像について、動画像から静止画像を抽出し、抽出した静止画像を該静止画像の代わりに繰り返し表示することを特徴とする。
【０００８】
請求項４に記載の発明は、請求項１ないし請求項３のいずれか１項に記載の画像再生装置において、合成表示手段４は、画面上に合成表示される２つの動画像の境界を、四角形以外の予め定められた形状で表示することを特徴とする。
図２は、本発明に記載の発明の原理ブロック図である。
請求項５に記載の発明は、請求項１に記載の画像再生装置において、再生情報記憶手段５は、識別情報および再生状態を記録媒体２２に記憶することを特徴とする。
【０００９】
図３は、本発明に記載の発明の原理ブロック図である。
請求項６に記載の発明は、ランダムアクセス可能な記録媒体２２と、記録媒体２２上に収録された複数の動画像について、これら動画像各々に対応するサムネイルを画面上に一覧表示する一覧表示手段１と、外部からの選択操作に応じて、一覧表示手段１によって表示されるサムネイルを複数選択する選択手段２と、選択手段２によって選択される複数のサムネイルについて、これら各サムネイルに対応する複数の動画像を、外部からの再生操作に応じて記録媒体２２に対し時分割読み出しを行うことにより並行再生する再生手段３と、再生手段３によって並行再生される複数の動画像を、入れ子状に重ねて画面上に合成表示する合成表示手段４と、再生手段３によって並行再生される複数の動画像について、これら動画像を識別するための識別情報、および、前記動画像各々が前回どのように表示されたかを示す表示状態を記憶する再生情報記憶手段５を備え、合成表示手段４は、再生情報記憶手段５に記憶された識別情報の呼び出し操作に応じて、識別情報に対応する複数の動画像各々について、その表示状態を再現するように合成表示することを特徴とする。
【００１０】
請求項７に記載の発明は、請求項６に記載の画像再生装置において、再生手段３は、複数の動画像の並行再生を同タイミングで開始することを特徴とする。
請求項８に記載の発明は、請求項６または請求項７に記載の画像再生装置において、合成表示手段４は、再生手段３によって並行再生される複数の動画像の中の、少なくとも１つの動画像について、動画像から静止画像を抽出し、抽出した静止画像を該動画像の代わりに繰り返し表示することを特徴とする。
請求項９に記載の発明は、請求項６ないし請求項８のいずれか１項に記載の画像再生装置において、合成表示手段４は、画面上に合成表示される２つの動画像の境界を、四角形以外の予め決められた形状で表示することを特徴とする。
請求項１０に記載の発明は、請求項６に記載の画像再生装置において、再生情報記憶手段５は、識別情報および表示状態を記録媒体２２に記憶することを特徴とする。
【００１１】
（作用）
本発明に記載の画像再生装置では、表示画面に、動画像のサムネイルを表示する。なお、サムネイルとは、画像を一覧表示する際に使用される画像を指す。
一覧表示手段１は、記録媒体に記録される複数の動画像各々について、サムネイルとして表示する画像（以下「サムネイル画像」という）を読み取り、一覧表示する。
【００１２】
操作者は、選択手段２を介して、どの動画像を再生したいのかを選択する。
再生手段３は、再生操作が行われると、選択された複数の動画像を逐次もしくは同時に再生する。
合成表示手段４は、並行再生される複数の動画像を、入れ子状に重ねて画面上に合成表示する。入れ子状とは、上に重なる動画像の表示面積が、下に位置する動画像の表示面積より小さくなるように、複数重なり合っている様子を指す。
【００１３】
なお、これら動画像には音声が付加されてもよい。このとき、動画像と一緒に音声が複数再生されてもよいし、動画像が再生されずに音声だけが複数再生されてもよい。
本発明に記載の画像再生装置では、再生手段３は、複数の動画像の並行再生を同タイミングで開始する。
【００１４】
本発明に記載の画像再生装置では、合成表示手段４は、並行再生される複数の動画像のうち、少なくとも１つの動画像を静止画像として表示する。
本発明に記載の画像再生装置では、合成表示手段４は、入れ子状に重なって表示される複数の動画像について、２つの動画像の境界を四角形以外の多様な形で表示する。すなわち、上側に重なる動画像の表示枠を多様な形に変更して表示する。
【００１５】
本発明に記載の画像再生装置では、再生情報記憶手段５は、再生手段３で再生される複数の動画像について、各動画像の識別情報（例えば、ファイル名、撮影日時、識別コードなど）を記憶する。
識別情報の呼び出し操作が行われると、再生情報記憶手段５に記憶された識別情報は、再生手段３に伝達される。再生手段３では、この識別情報に対応する複数の動画像を並行再生する。
【００１６】
本発明に記載の画像再生装置では、再生情報記憶手段５は識別情報の他に、動画像が前回どのように再生されたかを示す再生状態を記憶し、呼び出し操作が行われると、再生手段３は、その再生状態を再現して動画像を再生する。
本発明に記載の画像再生装置では、再生情報記憶手段５は識別情報の他に、動画像が前回どのように表示されたかを示す表示状態を記憶し、呼び出し操作が行われると、合成表示手段４は、その表示状態を再現して動画像を表示する。
【００１７】
【発明の実施の形態】
以下、図面を用いて本発明の実施形態を説明する。
図４は、本発明の実施形態（請求項１〜１０に記載の発明に対応する）の機能ブロック図である。
図４において、本体２１の内部には、光磁気記録媒体２２が着脱自在に装着されている。
【００１８】
光磁気記録媒体２２に対して読み書きするデータアクセス部２３は、データ圧縮伸張部２４を介して、フレームメモリ２５と接続される。また、フレームメモリ２５の出力は、表示画像作成部２６を介して、液晶表示部２７に入力される。
一方、液晶表示部２７にはタッチパネル２８が取り付けられており、タッチパネル２８によって検出される位置情報は、タッチパネル入力部２９を介して制御部３０に入力される。
【００１９】
制御部３０の制御出力は、データ圧縮伸張部２４および表示画像作成部２６に入力され、さらに、制御部３０の出力はデータアクセス部２３と接続される。
データ圧縮伸張部２４、表示画像作成部２６、タッチパネル入力部２９および制御部３０の機能は、マイクロプロセッサ３１によって実現される。
さらに、本体２１のカメラ部３２には、撮影レンズ３３が設けられており、撮影レンズ３３を介して得られた被写体像を受光する位置に、撮像素子３４が配置されている。
【００２０】
撮像素子３４の出力信号はＡ／Ｄ変換部３５および信号処理部３６を介して、フレームメモリ２５に入力される。
なお、請求項１〜１０に記載の発明と、本実施形態との対応関係については、一覧表示手段１は、データアクセス部２３、データ圧縮伸張部２４、フレームメモリ２５および表示画像作成部２６の「サムネイルを取得もしくは生成して一覧に表示する機能」に対応し、選択手段２は、タッチパネル２８およびタッチパネル入力部２９に対応し、再生手段３は、データ圧縮伸張部２４、タッチパネル入力部２９および制御部３０に対応し、合成表示手段４は、表示画像作成部２６の「再生画像を合成表示する機能」に対応する。
【００２１】
請求項１〜１０に記載の発明と、本実施形態との対応関係については、上述した対応関係と併せて、再生情報記憶手段５は、光磁気記録媒体２２、データアクセス部２３および制御部３０に対応する。
図５、図６は、本実施形態の動作を説明する流れ図である。
図７〜図１２は、サムネイル表示画面を説明する図である。
【００２２】
以下、図面を用いて、本実施形態の動作について説明する。
本体２１に光磁気記録媒体２２が装着されると、データアクセス部２３は、光磁気記録媒体２２に記録される複数の動画像について、これら動画像の各先頭シーンを読み出す。表示画像作成部２６は、これら画像データを元にサムネイルを作成し、液晶表示部２７に一覧表示する（図５のステップＳ１）。
【００２３】
図７（ａ）は、液晶表示部２７に表示される初期画面を説明する図である。
液晶表示部２７の画面には、サムネイル３７が一覧表示されており、液晶表示部２７の右上には、標準サイズボタン３８、サムネイル表示ボタン３９、背景画ボタン５２が配置されている。その下には、サムネイル３７をスクロールするためのスクロールボタン４０が配置されている。
【００２４】
液晶表示部２７の右下には、記録再生するための操作ボタンが配置されている。左上から逆スキップボタン４１、逆送りボタン４２、早送りボタン４３、スキップボタン４４、逆再生ボタン４５、停止ボタン４６、再生ボタン４７、逆コマ送りボタン４８、ポーズボタン４９、コマ送りボタン５０、記録ボタン５１が配置されている。
【００２５】
これらの操作ボタンが操作されると、ボタンはハイライト表示に切り替わり、その状態を表示する。
図７の（ｂ）に示すように、スクロールボタン４０がタッチされると（操作１）、表示画像作成部２６は表示画面をスクロール表示する。ここでは、光磁気記録媒体２２には、動画像Ａ〜Ｐが画像ファイルとして記録されており、表示画像作成部２６は、これら動画像に対応するサムネイルをサムネイルＡ〜Ｐとして表示する。
【００２６】
なお、操作者が行う操作は全てタッチパネル２８を介して行うが、これは周知技術であるＧＵＩ（Graphical User Interface）などを利用している。
すなわち、液晶表示部２７には、サムネイルや操作ボタンが、オブジェクトとして表示されており、タッチパネル２８およびタッチパネル入力部２９は、これらのオブジェクトに対する操作者の接触動作を感知する。
【００２７】
制御部３０は、この接触動作に対応して、画面上のオブジェクト固有のメッセージを発生する。また、表示画像作成部２６は、そのメッセージを取得し、画面表示の変更などを行う。以下、この部分の説明は省略する。
サムネイルがタッチされると、制御部３０は、そのサムネイルおよびそのサムネイルに対応する動画像を選択し、表示画像作成部２６を介して、そのサムネイルをハイライト表示する。
【００２８】
さらに、選択された動画像には、その動画像をどのように再生するのか（例えば、スロー再生、早送り再生、フェードインフェードアウト再生、表示領域の形状等）をデータ形式で示すシナリオファイルが付随されている。このシナリオファイルは、各動画像ファイルのヘッダ部分などに付加されたり、動画像ファイルと対応付けられた独立のファイルとして作成され、光磁気記録媒体２２に記録される。
【００２９】
なお、このシナリオファイルは、請求項１、６に記載の識別情報、請求項１に記載の再生状態、請求項６に記載の表示状態に対応している。
例えば、図７の（ｂ）に示すように、サムネイルＰが選択されると（操作２）、動画像ＰのシナリオファイルとしてＰ１が予め初期設定されている。ハイライト表示されているサムネイルが、さらにタッチされると、制御部３０は、その操作を検出し、表示画像作成部２６を介して動画像のシナリオファイルを一覧表示する。
【００３０】
制御部３０は、シナリオファイルの一覧表示領域およびサムネイルにタッチ操作が行われたかを判断して、操作者がどのシナリオファイルを選択したかを認識する。
例えば、図８の（ｃ）に示すように、サムネイルＰがタッチされると（操作３）、制御部３０は、表示画像作成部２６を介してシナリオファイルとしてＰ１からＰ４までを一覧表示する。
【００３１】
シナリオファイル一覧表示領域でタッチ操作が行われると（操作４）、制御部３０は、表示画像作成部２６を介して、＊印を順に下へ移動して表示する。タッチ操作が繰り返されると、＊印を一巡して表示する。
図８の（ｄ）に示すように、＊印がＰ３の横に表示されているときに、サムネイルＰが再びタッチされると、制御部３０は、シナリオファイルとしてＰ３が確定したことを認識する。
【００３２】
タッチパネル２８に対してドラッグ・アンド・ドロップ操作（タッチパネル２８に指を触れたまま動かし、所定の位置で指を離す）が行われると、その操作の始点位置を検出し、その位置にあるサムネイルを、ドロップ位置まで移動表示する。
図９の（ｅ）に示すように、操作者がサムネイルＰに対して、ドラッグ・アンド・ドロップ操作を行うと、制御部３０は、表示画像作成部２６を介して、操作者の指に追従して、サムネイルＰを移動表示する。
【００３３】
サムネイルＰをドラッグ操作した指先が、背景画ボタン５２に重なった状態で、ドロップ操作が行われると、制御部３０は、サムネイルＰに対応する動画像Ｐ並びにそのシナリオファイルが、背景画像として選択されたことを認識する（図５のステップＳ２）。
図９の（ｆ）に示すように、背景画ボタン５２がタッチされると（図５のステップＳ３）、制御部３０は、選択された動画像を、表示画像作成部２６を介して、背景画像として表示する（図５のステップＳ４）。
【００３４】
背景画像の表示は、まず、表示画像作成部２６が、光磁気記録媒体２２から読み出された動画像Ｐの画像データを、シナリオファイルＰ３に従って処理し、液晶表示部２７に表示する。
次に、表示画像作成部２６は、操作ボタンやサムネイルを、動画像Ｐ上に合成表示することで、動画像Ｐを背景画像として表示している。
【００３５】
動画像Ｐが背景画像として表示されている状態で、図１０の（ｇ）に示すように、サムネイルおよびそのサムネイルに対応する動画像が選択されると（図５のステップＳ５）、制御部３０は、その動画像およびそのシナリオファイルを認識する。ここでは、制御部３０は、サムネイルＦに対応する動画像Ｆを、シナリオファイルＦ３で再生することを認識する。
【００３６】
図１０の（ｈ）に示すように、標準サイズボタン３８がタッチされると（操作５）、制御部３０は、表示画像作成部２６を介して、サムネイル表示画面から標準表示画面に変更する。再生ボタン４７がタッチされると（操作６）、制御部３０は、その操作を検出し、データアクセス部２３を介して、動画像ＦをシナリオファイルＦ３に従って再生する。
【００３７】
ここでは、すでに制御部３０は、表示画像作成部２６を介して動画像Ｐを背景表示しているので、動画像Ｆを並行して再生する。
また、２つの動画像の、並行再生のタイミングについては、図１０の（ｈ）の操作６が行われると、制御部３０は、データアクセス部２３を介して、動画像Ｐの再生をリスタートし、２つの動画像の並行再生を同タイミングで開始する。
【００３８】
ここで、この並行再生について説明する。
光磁気記録媒体２２に記録される動画像Ｐのファイルをシークし、そこから動画像Ｐを読み出す。
画像データはデータ圧縮伸張部２４で伸張され、フレームメモリ２５に格納される。
【００３９】
次に、動画像Ｆの画像データを読み出し、フレームメモリ２５に格納する。
表示画像作成部２６は、各シナリオファイルに基づいて画像データを作成する。例えば、動画像ＦのシナリオファイルＦ３が早送り再生なら、コマを落とした画像データを作成する。
動画像Ｐ、動画像Ｆの画像データを所定の位置に合成表示する。
【００４０】
以上の動作を、動画像Ｆの再生が終了するまで繰り返す。
このように、動画像Ｐおよび動画像Ｆを時分割で読み出し、画像を作成し、合成表示することで、並行再生を行う。
なお、動画像Ｆは再生が終了すると、最初のサムネイル画像に戻る。
また、背景としての動画像Ｐは、繰り返し再生表示されているので、動画像Ｆの再生終了後も再生表示は継続している。
【００４１】
制御部３０は、背景画ボタン５２のタッチ操作を検出するまで、ステップＳ５、Ｓ６の処理を繰り返す。例えば、このとき、別の動画像が選択されると、制御部３０は、データアクセス部２３を介して、その動画像と動画像Ｐとを並行再生する。
操作７に示すように、背景画ボタン５２がタッチされると（図５のステップＳ７）、制御部３０は、表示画像作成部２６を介して動画像Ｐの再生状態を切り替え、静止画像として表示する（図６のステップＳ８）。
【００４２】
動画像Ｐには、静止画像として利用できる画像が、光磁気記録媒体２２に予め保存されている。データアクセス部２３が、その画像データを読み出す。画像データは、データ圧縮伸張部２４を介して、フレームメモリ２５に格納される。
表示画像作成部２６は、その画像データを静止画像Ｐとして、液晶表示部２７に表示する。さらに、表示画像作成部２６は、操作ボタンを合成表示することによって、静止画像Ｐを背景画像として表示する。
【００４３】
背景画像が静止画像Ｐのとき、サムネイルおよびそのサムネイルに対応する動画像が選択されると（図６のステップＳ９）、制御部３０は、データアクセス部２３を介して、その動画像を再生し（図６のステップＳ１０）、静止画像Ｐ上に合成表示する。
さらに、背景画ボタン５２がタッチされると（図６のステップＳ１１）、制御部３０は、背景画像の再生および表示を中止する（図６のステップＳ１２）。ここでは、静止画像Ｐの代わりに、青の単一色を表示する。なお、この状態においても、動画像を選択し再生することができる（図６のステップＳ１３、Ｓ１４）。
【００４４】
さらに、背景画ボタン５２がタッチされると、制御部３０は、その操作を検出し、動画像Ｐを再び背景画像として再生表示する（図５のステップＳ４）。
このように、背景画ボタン５２がタッチされる毎に、背景画像の表示状態が、「動画像」、「静止画像」、「表示しない」の順で切り替わる。
次に、今行われた再生状態を記録し、その再生状態を再現するシナリオファイルの作成について説明する。
【００４５】
動画像Ｆの再生が終了した時点（ステップＳ７、Ｓ１１、Ｓ１５）で、操作８に示すように、記録ボタン５１がタッチされると、制御部３０は、行われた再生状態を逐次にデータとして記録し、その再生状態を再現するシナリオファイルを新たに作成する。
制御部３０は、このシナリオファイルを、データアクセス部２３を介して、光磁気記録媒体２２に記録する。ここでは、シナリオファイルとして、再生された動画像のファイル名、各動画像の再生表示位置、再生表示領域の大きさ、形状等の情報が記録される。
【００４６】
具体的には、動画像ＦをシナリオファイルＦ３に従って、標準サイズで再生し、また背景画像として動画像ＰをシナリオファイルＰ３に従って並行再生するように、制御部３０に指示を与えるシナリオファイルＱ１を作成する。
このシナリオファイルＱ１はデータアクセス部２３を介して光磁気記録媒体２２に記憶される。
【００４７】
また、制御部３０は、表示画像作成部２６を介して、図１１の（ｉ）に示すように、サムネイル表示画面の一番最後にサムネイルＱを追加表示する。このとき、サムネイルＱに使用される画像は、サムネイルＦと同じサムネイル画像を用いる。
以後、シナリオファイルＱ１が選択されて、再生ボタン４７がタッチされると、制御部３０は、光磁気記録媒体２２からシナリオファイルＱ１を読み出し、そのシナリオファイルに従って再生状態を再現する。ここでは、図１０の（ｈ）の状態を再現する。
【００４８】
次に、表示枠の形状の変更について説明する。
表示画面の別の例としては、図１１の（ｊ）に示すような背景画像を最大表示してもよい。
このときの動画像Ｆの表示枠の形状を、図１１の（ｊ）の状態から図１２の（ｋ）の状態に変更する。
【００４９】
制御部３０には、動画像をトリミングするための数種類のマスクが予め設定されている。ここでは、ハート型のマスクを考える。このマスク内外には、１ドット当たりに、ＲＧＢ各８ビットのデータを有している。マスク内のドットには、ＦＦＨ  ＦＦＨ  ＦＦＨのデータを有し、マスク外のドットには、００Ｈ  ００Ｈ  ００Ｈのデータを有している。動画像Ｆを構成する１フレーム毎とに、このマスクとＡＮＤ演算を行うと、マスク内には動画像Ｆの画像が抜き取られ、マスク外には、００Ｈを有する画像が得られる。
【００５０】
表示画像作成部２６は、マスク外の００Ｈを背景画像Ｐの画像データと入れ替えることにより、図１２の（ｋ）に示すように、ハート型に抜き取られた動画像Ｆを作成し、背景画像Ｐに合成表示することができる。
なお、本体２１にはカメラ部３２を備えており、撮影レンズ３３を介して得られた像を撮像素子３４は光電変換し、その信号はＡ／Ｄ変換部３５でデジタル信号に変換される。
【００５１】
信号処理部３６は、ホワイトバランス調整、ガンマ補正、画素の補間等の信号処理を行い、フレームメモリ２５を介してデータ圧縮伸張部２４で圧縮される。圧縮データはデータアクセス部２３を介して、光磁気記録媒体２２に記録される。
一方、フレームメモリ２５の撮影画像データは、表示画像作成部２６を介して、液晶表示部２７でモニタ表示される。
【００５２】
このように、本実施形態の画像再生装置では、動画像に背景画像を付けて、並行再生することができる。したがって、２つの動画像を合成して、１つの動画像のように再生することができ、別の映像作品を作り上げることができる。
さらに、１度作り上げた作品は、シナリオファイルとして残るので、再度再生操作を繰り返すことなく、即座に再現することができる。
【００５３】
なお、本実施形態では、２つの動画像について、並行再生し合成表示を行ったが、それに限定されない。図１２の（ｌ）に示すように、複数の動画像を入れ子状に重ねて再生し表示してもよい。
また、本実施形態では、動画像の並行再生の開始タイミングについて、同タイミングで再生を開始しているが、それに限定されるものではない。本実施形態では、動画像Ｐの再生をリスタートしたが、それをせずに再生開始のタイミングが異なったままでもよい。
【００５４】
なお、別の実施形態としては、図１３に示すように、データアクセス部２３ａ、２３ｂ、データ圧縮伸張部２４ａ、２４ｂおよびフレームメモリ２５ａ、２５ｂのように複数構成することで、複数の動画像に対して並行再生を行ってもよい。  また、本実施形態では、動画像ファイルの先頭シーンについてサムネイルを自動的に作成したが、これに限定されるものではない。例えば、操作者が動画像ファイルの任意のシーンを選択し、それをサムネイル表示してもよい。
【００５５】
さらに、シナリオファイルは、動画像と一緒に光磁気記録媒体２２に記録されたが、それに限定されず、別の記録媒体を設けてそれに記録させてもよい。
また、本実施形態では、識別情報としてファイル名を使用したが、それに限定されるものではない。動画像を特定するための情報、例えば、アドレス情報などを使用してもよい。
【００５６】
さらに、本実施形態では、操作の入力部としてタッチパネルを使用したが、それに限定されるものではない。例えば、操作ボタンを別に設けてもよいし、マウスを使用してもよい。
また、本実施形態では光磁気記録媒体を使用したが、それに限定されず、他の記録媒体として、磁気記録媒体、光記録媒体、半導体記録媒体などを使用してもよい。
【００５７】
【発明の効果】
本発明に記載の画像再生装置では、複数の動画像を入れ子状に重ねて表示することができる。したがって、重なり合って表示される動画像同士を関連させて、面白味があるように表示することができる。
例えば、風景の動画像に、別の場所で撮影した人物の動画像をはめ込んで一画面上で合成表示し、並行再生することができるので、非常に面白味のある映像を作り上げることができる。
【００５８】
本発明に記載の画像再生装置では、複数の動画像の並行再生を同タイミングで開始することができる。
したがって、複数の動画像が重なった状態で一斉に動きだし、複雑かつ変化に富んだ再生表示を行うことができ、より面白味のある映像を作り上げることができる。
【００５９】
本発明に記載の画像再生装置では、少なくとも１つの動画像を静止画像として、表示することができる。したがって、動画像と静止画像とで対比して表示することができる。
本発明に記載の画像再生装置では、動画像の表示枠を四角形以外の多様な形で表示することができる。したがって、例えば、背景に、海の動画像を表示し、その上に重ねる動画像を四角形ではなく、ヨットの形などで表示すれば、より面白味のある映像を作り上げることができる。
【００６０】
本発明に記載の画像再生装置では、再生情報記憶手段は、再生された動画像の識別情報、再生状態または表示状態を記憶する。したがって、１度そのシーンが記憶されると、操作者は、随意に簡便な操作で、そのシーンを呼び出し、正確にそのシーン再現することができる。
特に、繰り返し見る場合においては、逐一並行再生の操作を行わないで済み、非常に有効である。
【００６１】
このようにして、本発明を適用した画像再生装置では、新しい映像作品を作り上げることができ、再度再生操作を繰り返すことなく、その映像を即座に呼び出し再生することができる。
【図面の簡単な説明】
【図１】  本発明の原理ブロック図である。
【図２】  本発明の原理ブロック図である。
【図３】  本発明の原理ブロック図である。
【図４】  本発明の実施形態の機能ブロック図である。
【図５】  本発明の実施形態の動作を説明する流れ図（１）である。
【図６】  本発明の実施形態の動作を説明する流れ図（２）である。
【図７】  サムネイル表示画面を説明する図である。
【図８】  サムネイル表示画面を説明する図である。
【図９】  サムネイル表示画面を説明する図である。
【図１０】  サムネイル表示画面を説明する図である。
【図１１】  サムネイル表示画面を説明する図である。
【図１２】  サムネイル表示画面を説明する図である。
【図１３】  別の実施形態の機能ブロック図である。
【符号の説明】
１  一覧表示手段
２  選択手段
３  再生手段
４  合成表示手段
５  再生情報記憶手段
２１  本体
２２  光磁気記録媒体
２３、２３ａ、２３ｂ  データアクセス部
２４、２４ａ、２４ｂ  データ圧縮伸張部
２５、２５ａ、２５ｂ  フレームメモリ
２６  表示画像作成部
２７  液晶表示部
２８  タッチパネル
２９  タッチパネル入力部
３０  制御部
３１  マイクロプロセッサ
３２  カメラ部
３３  撮影レンズ
３４  撮像素子
３５  Ａ／Ｄ変換部
３６  信号処理部
【図１】
0003790871.tif 000002
【図２】
0003790871.tif 000003
【図３】
0003790871.tif 000004
【図４】
0003790871.tif 000005
【図５】
0003790871.tif 000006
【図６】
0003790871.tif 000007
【図７】
0003790871.tif 000008
【図８】
0003790871.tif 000009
【図９】
0003790871.tif 000010
【図１０】
0003790871.tif 000011
【図１１】
0003790871.tif 000012
【図１２】
0003790871.tif 000013
【図１３】
0003790871.tif 000014